(57)【要約】【課題】天井スラブから天井上面に滴下する漏水を効果的に排水処理することができる天井構造を提供することである。【解決手段】天井スラブ１から垂下する複数の吊りボルト２によって天井下地１０を支持し、その天井下地１０によって天井２０を支持する。天井２０は樋状の天井パネル２１をジョイント金具３０により長さ方向に接続し、その接続により形成された接続体を幅方向に接続した構成とし、その天井２０を天井パネル２１の長さ方向に下り勾配をもって傾斜させ、その下流側端に樋部７１を有する見切り縁６０を設ける。ジョイント金具３０に通水路４１を設け、天井スラブ１から天井２０の上面に滴下する漏水を天井パネル２１の傾斜に沿って流動させて見切り縁６０の樋部７１に集水して適宜に排水する。【選択図】図３
2006124933.tif 000002
【特許請求の範囲】
【請求項１】
スラブに吊り下げ支持された天井下地によって天井を支持し、その天井が、ジョイント金具によって長さ方向に接続された複数の金属薄板の樋状の天井パネルの接続体を幅方向に順次接続した構成から成る天井構造において、前記天井を複数の天井パネルから成る接続体が一端から他端に向けて下り勾配をもって傾斜するよう傾斜状に支持し、その傾斜状の接続体の他端側に集水用の樋部を設け、前記ジョイント金具には、その上流側に位置する天井パネルの上面に沿って流れる水を下流側に流通させる通水路を形成したことを特徴とする天井構造。
【請求項２】
前記ジョイント金具が、接続体の長さ方向と直交するよう天井下地に取付けられる固定バーと、その固定バーの下方に対向配置される支持バーと、その支持バーを固定バーに連結する連結具とから成り、前記支持バーの両側には、天井パネルの両端部を支持して天井パネルの上面を支持バーの上面と同一高さに保持する支持片を支持バーの全長にわたって設け、かつ、支持バーの上面両側には固定バーの下面に当接される対向一対のフック片を支持バーの長さ方向に間隔をおいて形成して、支持バーの長さ方向に並ぶフック片間を通水路とした請求項１に記載の天井構造。
【請求項３】
前記固定バーの下面両側部に天井パネルの両端部を支持片に押し付ける押え片を設けた請求項２に記載の天井構造。
【請求項４】
前記連結具が、断面コの字形とされ、その対向する側板の上縁に固定バーの下面両側部に設けられたＬ形突条の上面に係合可能な屈曲片を外向きに形成し、上記側板のそれぞれには外側方に突出して支持バーの上面両側部に設けられた対向一対のフック片の鈎部に係合可能な切り起こしの係合片を設けた構成から成る請求項２又は３に記載の天井構造。
【発明の詳細な説明】
【技術分野】
【０００１】
この発明は、地下室や地下街、地下鉄等の地下空間への採用に好適な天井構造に関するものである。
【背景技術】
【０００２】
地下空間を形成する天井スラブに多数の吊りボルトの上部を固定し、その吊りボルトにより吊り下げ支持された天井下地に複数の天井パネルを取付けて天井を形成することは従来から普通に行なわれている。
【０００３】
一般に、地下空間においては漏水について充分な対策がなされているが完全ではない。このため、天井スラブから漏水すると、その漏水は天井の上面に滴下することになる。
【発明の開示】
【発明が解決しようとする課題】
【０００４】
ところで、地下空間における従来の天井構造においては、天井スラブからの漏水の対策が不充分であり、上記漏水の滴下によって天井上面に溜り、天井パネルが透水性を有するパネルの場合に、そのパネルを浸透して天井下面を汚すことになる。
【０００５】
また、天井パネルが金属製の非透水性のパネルの場合は、天井パネルの接続部より漏水するおそれが生じる。
【０００６】
この発明の課題は、天井スラブから天井上面に滴下する漏水を効果的に排水処理することができるようにして、天井の汚損と漏水の滴下を防止することができるようにした天井構造を提供することである。
【課題を解決するための手段】
【０００７】
上記の課題を解決するために、この発明においては、スラブに吊り下げ支持された天井下地によって天井を支持し、その天井が、ジョイント金具によって長さ方向に接続された複数の金属薄板の樋状の天井パネルの接続体を幅方向に順次接続した構成から成る天井構造において、前記天井を複数の天井パネルから成る接続体が一端から他端に向けて下り勾配をもって傾斜するよう傾斜状に支持し、その傾斜状の接続体の他端側に集水用の樋部を設け、前記ジョイント金具には、その上流側に位置する天井パネルの上面に沿って流れる水を下流側に流通させる通水路を形成した構成を採用したのである。
【０００８】
ここで、ジョイント金具として、接続体の長さ方向と直交するよう天井下地に取付けられる固定バーと、その固定バーの下方に対向配置される支持バーと、その支持バーを固定バーに連結する連結具とから成り、前記支持バーの両側には、天井パネルの両端部を支持して天井パネルの上面を支持バーの上面と同一高さに保持する支持片を支持バーの全長にわたって設け、かつ、支持バーの上面両側には固定バーの下面に当接される対向一対のフック片を支持バーの長さ方向に間隔をおいて形成して、支持バーの長さ方向に並ぶフック片間を通水路とした構成のものを採用することにより、固定バーの取付け後、その固定バーに支持バーを連結することができ、天井パネルを長さ方向に簡単に接続することができる。
【０００９】
上記の構成から成るジョイント金具において、固定バーの下面両側部に天井パネルの両端部を支持片に押し付ける押え片を設けると、上記押え片によって天井パネルの両端の浮き上がりを防止することができるため、天井パネルの安定性を向上させることができる。
【００１０】
また、連結具として、断面コの字形とされ、その対向する側板の上縁に固定バーの下面両側部に設けられたＬ形突条の上面に係合可能な屈曲片を外向きに形成し、上記側板のそれぞれには外側方に突出して支持バーの上面両側部に設けられた対向一対のフック片の鈎部に係合可能な切り起こしの係合片を設けた構成から成るものを採用すると、天井下地に取付けられた固定バーの突条に屈曲片を係合して連結具を取付け、その連結具の下方から支持バーを、その上面に設けられた対向配置のフック片間に連結具が納まるようにして押し上げると、フック片が係合片に係合するため、固定バーに対して支持バーを工具を用いることなく簡単に接続することができる。
【発明の効果】
【００１１】
上記のように、ジョイント金具によって長さ方向に接続された天井パネルの接続体を一端から他端に向けて下り勾配をもって傾斜させ、その他端に樋部を設け、前記ジョイント金具にはその上流側の天井パネルの上面に沿って流れる水を下流側に流通させる通水路を形成したことによって、天井スラブから天井の上面に漏水が滴下した場合に、その漏水は接続体の傾斜に沿って流れて樋部に流れ込むことになり、天井が漏水によって汚損されたり、天井パネルの接続部から漏水が漏れるのを防止することができる。
【発明を実施するための最良の形態】
【００１２】
以下、この発明の実施の形態を図面に基づいて説明する。図２に示すように、地下空間における天井のスラブ１には複数の吊りボルト２の上部が固定され、各吊りボルト２の下端部に取付けられたハンガー３によって天井下地１０が支持されている。
【００１３】
図１乃至図３に示すように、天井下地１０は、上記ハンガー３によって支持された複数の平行に配置された野縁受１１と、その野縁受１１に対して直交する方向に延びる野縁１２と、その野縁１２と野縁受１１の交差部を連結するクリップ１３とから成り、その天井下地１０によって天井２０が支持されている。
【００１４】
天井２０は多数の天井パネル２１から成る。図２に示すように、天井パネル２１は金属薄板の折曲げ成形品から成り、細長い帯板状のパネル本体２１ａの両側に一対のフランジ２１ｂを上向きに設け、一方のフランジ２１ｂの上縁に内向きの折曲片２１ｃを設けると共に、その折曲片２１ｃの側縁に外向きの取付片２１ｄを形成して、内向き折曲片２１ｃとの間に接続溝２１ｅを設け、他方のフランジ２１ｂの上縁に上記接続溝２１ｅに挿入可能な挿入片２１ｆを設けた樋状の構成とされている。
【００１５】
図３に示すように、複数の天井パネル２１はジョイント金具３０により長さ方向に接続され、その接続により形成された接続体を図２に示すように幅方向に並列に配置し、その幅方向で隣接する天井パネル２１の挿入片２１ｆを他方の天井パネル２１の接続溝２１ｅに挿入して幅方向に並列する接続体を接続することにより前記天井２０が形成される。
【００１６】
上記の構成から成る天井２０は、天井パネル２１が野縁１２の長さ方向に対して直交する方向に長く延びる支持とされる。
【００１７】
図４に示すように、ジョイント金具３０は、固定バー３１と、その固定バー３１の下方に対向配置される支持バー３２と、その支持バー３２を固定バー３１に連結する連結具３３とから成る。
【００１８】
固定バー３１は野縁１２の下面に衝合されて野縁１２の長さ方向に延び、その下面から野縁１２にねじ込まれるタッピングねじ３４の締付けにより固定される。
【００１９】
この固定バー３１の下面両側部には一対のＬ形突条３５が設けられている。また、固定バー３１には各Ｌ形突条３５の下面に天井パネル２１の端部を押える押え片３６が設けられている。
【００２０】
支持バー３２は天井パネル２１の端部を支持して天井パネル２１の上面と支持バー３２の上面を同一高さに保持する支持片３７を両側に有している。各支持片３７は支持バー３２の長さ方向に延び、その上面には長さ方向に延びる嵌合溝３８が設けられ、各嵌合溝３８に弾性を有するシール部材３９が嵌合されている。
【００２１】
シール部材３９は天井パネル２１の下面に弾性接触して、支持片３７と天井パネル２１の対向部間の水密を保持している。また、支持バー３２の上面両側部には固定バー３１の下面に当接して、支持バー３２と固定バー３１の対向間隔を一定に保持する対向一対のフック片４０が支持バー３２の長さ方向に間隔をおいて設けられ、上記支持バー３２の長さ方向に並ぶフック片４０間は通水路４１とされている。
【００２２】
連結具３３は、断面コの字形とされ、その対向する側板４２の上縁には外向きに屈曲片４３が設けられ、各屈曲片４３は固定バー３１の下面に設けられた前記Ｌ形突条３５の上面に対して係合可能とされている。また、連結具３３の各側板４２には外側方に突出する切り起しの係合片４４が形成されている。係合片４４はくの字形とされ、その屈曲部４４ａは支持バー３２の上面に設けられたフック片４０の上端の鈎部４０ａに対して係合可能とされている。
【００２３】
上記の構成から成るジョイント金具３０の組立てに際しては、野縁１２の下面に固定バー３１をねじ止めし、その固定バー３１に形成された一対のＬ形突条３５の上面に連結具３３の屈曲片４３を係合させて固定バー３１に連結具３３を取付け、その連結具３３の下方に支持バー３２を位置させ、その支持バー３２に設けられた対向一対のフック片４０間を連結具３３に対して上下で対向させたのち、支持バー３２をフック片４０の上端が固定バー３１の下面に当接する位置まで押し上げる。
【００２４】
支持バー３２の押し上げ時、対向一対のフック片４０は係合片４４に当接して、その係合片４４を内方向に弾性変形させ、上記フック片４０の上端の鈎部４０ａが係合片４４の屈曲部４４ａを通過すると、係合片４４が復元弾性により外方向に変形して屈曲部４４ａがフック片４０の鈎部４０ａと係合し、その係合によって支持バー３２は固定バー３１に連結され、ジョイント金具３０は組立て状態に保持される。
【００２５】
ここで、ジョイント金具３０は一定の長さであり、そのジョイント金具３０を継ぎ足して使用する場合には、図６および図７に示す接続具５０を用い、その接続具５０によってジョイント金具３０を接続する。
【００２６】
接続具５０は、接続すべき一対の支持バー３２に跨がる長さの底板５１の両側から一対の側板５２を起立させ、各側板５２の上部にＬ形突条３５の下面に当接される内方への屈曲片５３を設け、一方の屈曲片５３の側縁に一対のＬ形突条３５間に嵌合されて、その一対のＬ形突条３５の内面に弾性接触するコの字形の接合片５４を設け、前記底板５１の下面には支持バー３２の上面に密着するシール部材５５を接着による手段を介して固着している。
【００２７】
図３に示すように、天井２０は、上記ジョイント金具３０によって長さ方向に連結された天井パネル２１の接続体が一端から他端に向けて下り勾配をもって傾斜する傾斜状の支持とされている。その天井２０の壁面Ｗと接する部分の外周の４辺には樋としての見切り縁６０が設けられている。
【００２８】
図５に示すように、見切り縁６０は、上部バー６１と、その上部バー６１の下面に取付けられる下部バー６２と、その下部バー６２を上部バー６１に取付けるクリップ６３とから成っている。
【００２９】
上部バー６１は、その下方から野縁１２にねじ込まれるタッピングねじ６４によって固定される。上部バー６１の下面両側部には断面Ｌ形の突条６５が設けられ、上記上部バー６１の取付け状態で内側に配置される一方の突条６５の下面長さ方向に天井２０の上面外周部を押える複数の押え片６６が間隔をおいて形成されている。
【００３０】
下部バー６２には上部バー６１に対する取付け状態で内側となる側部に天井２０の下面外周部を支持する支持片６７が設けられ、その支持片６７の上面に形成された嵌合溝６８内に天井２０の下面外周部に弾性接触するシール部材６９が設けられている。また、下部バー６２の上面両側部には断面形状をＬ形とする一対の突条７０ａ、７０ｂが設けられ、上記支持片６７側に設けられた突条７０ａは長さ方向に分断された不連続の突条から成っている。一対の突条７０ａ、７０ｂ間は樋部７１とされ、その樋部７１は長さ方向に下り勾配をもって傾斜している。
【００３１】
クリップ６３は、断面形状がコの字形とされ、その対向する側板７２の上縁には外向きにフック片７３が設けられている。また、対向する側板７２のそれぞれには外側方に向けて傾斜する切り起こしの係合片７４が設けられている。
【００３２】
上記クリップ６３は、上部バー６１のＬ形突条６５に対するフック片７３の係合と、下部バー６２に形成されたＬ形突条７０ａ、７０ｂに対する係合片７４の係合によって上部バー６１と下部バー６２とを結合状態、すなわち、見切り縁６０を組立て状態に保持している。
【００３３】
実施の形態で示す天井構造は上記の構造から成り、天井スラブ１に漏水が発生すると、その漏水は天井２０の上面に滴下する。このとき、天井２０を形成する複数の天井パネル２１は樋状をなし、その天井パネル２１は長さ方向に下り勾配をもって傾斜していると共に、天井パネル２１を長さ方向に接続するジョイント金具３０には通水路４１が設けられているため、天井２０の上面に滴下する漏水は天井パネル２１の傾斜に沿って流れて見切り縁６０の樋部７１内に流入する。このとき、樋部７１は長さ方向に下り勾配をもって傾斜しているため、樋部７１内に流入した漏水は樋部７１の傾斜に沿って流れる。
【００３４】
このため、樋部７１の下流側端部に排水口を形成し、その排水口に排水パイプを接続しておくことによって、上記漏水を適宜に排水処理することができる。
【００３５】
このように、天井スラブ１から天井２０の上面に滴下する漏水は見切り縁６０の樋部７１に集水されて排水されるため、漏水が多い場合でもその漏水をスムーズに排水処理することができ、天井２０を形成する天井パネル２１の接続部から天井２０の下面側に漏洩して地下空間内に滴下するという不都合の発生を完全に防止することができる。
【００３６】
また、天井パネル２１は金属薄板から成るため、天井２０の上面に滴下した漏水が天井パネル２１内に浸透して下面が汚されるという不都合の発生も完全に防止することができる。
【図面の簡単な説明】
【００３７】
【図１】この発明に係る天井構造の実施の形態を示す斜視図
【図２】図１の縦断正面図
【図３】図１の縦断側面図
【図４】図３に示すジョイント金具を拡大して示す断面図
【図５】図３に示す見切り縁の拡大断面図
【図６】ジョイント金具の分解斜視図
【図７】図６に示すジョイント金具の組立状態における断面図
【符号の説明】
【００３８】
１      スラブ
１０    天井下地
２０    天井
２１    天井パネル
３０    ジョイント金具
３１    固定バー
３２    支持バー
３３    連結具
３５    Ｌ形突条
３６    押え片
３７    支持片
４０    フック片
４０ａ  鈎部
４１    通水路
４２    側板
４３    屈曲片
４４    係合片
７１    樋部
【図１】
2006124933.tif 000003
【図２】
2006124933.tif 000004
【図３】
2006124933.tif 000005
【図４】
2006124933.tif 000006
【図５】
2006124933.tif 000007
【図６】
2006124933.tif 000008
【図７】
2006124933.tif 000009